(57)【要約】【目的】入賞装置に装備される検出スイッチの球検出孔の内壁面に球の接触による痕跡、汚損を回避し、検出スイッチを新品の状態に保ち、再使用に対応させる。【構成】入賞装置（１）の球受部（３）を貫通する飛入球通路（７）に臨ませる検出スイッチ（２）の球検出孔（２２）の内壁面（２２ａ）を上記飛入球通路の内壁面（７ａ）の口径より大径に形成して後退させ、該飛入球通路（７）を通過する球（Ａ）が前記球検出孔の内壁面（２２ａ）に接触しないようにして汚損を防止する。【選択図】        図４
2006149862.tif 000002
【特許請求の範囲】
【請求項１】
取付基板の前面に突き出し、打球の飛入球通路を設けてなる球受部と、前記取付基板の背後から前記球受部の飛入球通路に向けて貫通する装着孔と、前記装着孔に連続し、前記飛入球通路を囲む内壁面に沿って形成される装着受部と、前記装着孔を通して前記装着受部に先端縁部を係合させ、上下に貫通する球検出孔を前記飛入球通路に連通して該飛入球通路を通過する通過球を検出する検出スイッチとからなるパチンコ機の入賞装置において、前記飛入球通路は前記検出スイッチの球検出孔の上部開口部と下部開口部に臨む内壁部分を前記通過球の通過が可能な口径にして、且つ前記検出スイッチの前記球検出孔の口径より小径な通過口径に形成し、該飛入球通路を通過する通過球が前記球検出孔の内壁に接触することなく通過するようにしてなることを特徴としたパチンコ機の入賞装置。
【発明の詳細な説明】
【技術分野】
【０００１】
本発明は、パチンコ機の入賞装置に関する。
【背景技術】
【０００２】
パチンコ機の入賞装置は、遊技盤面の遊技部にあって、発射装置によって発射された球が飛入したとき、これをセーフ球（有効球）として所定の賞球の放出に繋げる役割をもっているが、同時にこの入賞装置には打球の飛入を検出し、得られた検出信号を例えば可変表示装置の起動用信号として利用し、遊技の進行を図るようにした飛入球検出機能を備えた入賞装置が有り、多く利用されている。例えば始動用入賞口として使用されているものがその例である。
【０００３】
上記の検出機能を備えた入賞装置は飛入球を受ける球受部に通過球（飛入球）を磁気により或は光学的に検出する検出スイッチを組付けており、球受部に形成する飛入球通路を通過する球を検出してこれを電気信号に変換し、遊技制御装置に送信する等して予め設定する遊技の進行に利用している。通常この入賞装置は飛入球を受けるための球受部を中心とする本体部分と、検出用の検出スイッチとを別体にして、本体部分に別に成形する検出スイッチを着脱自由に装着し、一体に組付けることによって完成させてある。
【０００４】
一般に、上記検出スイッチの組付けは、本体部分を遊技盤に固定するため用意する取付基板の背後から、この基板の前面側に設ける球受部に向けて差し込んでこの球受部を上下方向に貫く飛入球通路に検出スイッチの先端側に設ける球検出孔を臨ませ、連通させて装着し、装着後は任意に抜け出さないように係止片を掛け止める等して一体化している。
【０００５】
この様にしてなる検出スイッチ付きの入賞装置は、従来これを取付ける遊技盤の使用を終了した時点で廃棄処分されることが多く、ことに使用形跡の残るものについてはそのまゝ新規遊技盤に取付けて再使用するようなことはなかった。中でも入賞装置は遊技盤に施すデザインの一部となることから、仮に再使用するにしても使用痕跡の残るスイッチは大きな制約となり、実際には困難な状況にある。
しかし、この入賞装置に組込まれる検出スイッチは、特段遊技盤のデザインに組込まれるものでなく、また耐用年数は遊技盤の廃棄時機より遥かに永いものであり、充分機能するものであることから、近時この検出スイッチについての再利用が具体的に検討され、一部に実施されるに至っている。
【０００６】
従来の再利用乃至再使用は、この検出スイッチが本体部分に対して着脱可能に組付けられていることから、本体部分から外して新たな本体部分に組み直すことによって、再使用する方法が採られている。しかし、一度使用された検出スイッチは球検出孔の内壁面や、入口側の開口部付近が通過球（飛入球）の衝突や接触によって損傷を受けたり、汚損されることがあるため、本体部分から外したのち、状態を検査し、損傷、汚損等のあるものは機能上無欠陥のものであっても新規製品としての使用が避けられていた。
【０００７】
この検出スイッチの損傷、汚損は、検出する通過球との衝突、接触によって、特に球検出孔の内壁乃至入口側の上部開口部近辺における衝突、接触によって生じることが多く、従来これを防止する方法として球検出孔の入口側の上部開口部を被覆し、この球検出孔を通過しようとする球が検出スイッチに衝突するのを防止するようにした入賞装置が提案されている。例えば、特許文献１に記載されるものがその一例である。
【特許文献１】特許第３０５６８４８号公報。明細書中、特許請求の範囲の項、同段落００１３，００１６及び図面の図１，図２。
【０００８】
上記特許文献１は、本発明に係る入賞装置と同種の通過口装置に関するものであり、球受部に相当する装飾カバー部材３０には上下に入口開口３３と出口開口３４を形成し、上記入口開口３３に内側に向って被覆部３５を突設し、この被覆部３５によって通過玉検出器４０（即ち、検出スイッチ）の玉通過穴４１の上端開口縁を被覆し、落下する打玉が通過口装置２０ａ，２０ｂを通過する際に上記被覆部３５に衝突して通過玉検出器４０ａ，４０ｂの玉通過穴４１の開口縁に衝突しないようにしたものである。
【０００９】
しかし、前述特許文献に記載される通過口装置は、装飾カバー部材の入口開口に突設する被覆部によって通過玉検出器、つまり検出スイッチの玉通過孔、即ち球検出孔の上端開口縁を被覆することから、この開口縁への通過玉の衝突、接触を回避できるものとなっているが、玉通過孔、即ち球検出孔の内壁面への接触を回避することができず、この内壁面に球の通過痕跡を残すことがある。そのため、新品同様の状態で再使用を図ろうとする場合、これが障害となり、同様の商品価値を得るのが困難になっている。
【発明の開示】
【発明が解決しようとする課題】
【００１０】
従って本発明は、上述従来の事情に鑑み、入賞装置の使用中に球受部に着脱自由に装着される検出スイッチに対して通過球の衝突、接触を完全に断ち、この衝突、接触による検出スイッチの損傷、汚損を有効に回避して再使用に当って新品のものと同様に商品価値を下げることなく使用できるようにした入賞装置を提供しようとするものである。
【００１１】
周知のように、発射装置によって発射された打球は誘導路を通過する間にガイドレールによって回転が付与され、更に遊技部に達した打球は障害釘との衝突によって回転が変えられる等して落下するため、入賞装置に飛入する打球は真直に飛び込むものばかりでなく、その開口縁に衝突乃至接触したものは、これによって回転を変えながら反対側の縁に衝突したり、通過孔の内壁面に接触したりしながら通過する。このため検出スイッチを装備する入賞装置の場合、通過孔の開口縁を被覆しても検出スイッチの球検出孔の内壁面に接触するのを回避することはできず、一度使用されたものは損傷を受けなくとも、使用の痕跡を明らかに残すものとなる。
本発明は、この様にして残される使用の痕跡を効果的に回避し、使用後の検出スイッチを新品の状態を維持して再使用できるように改善した検出スイッチ付きの入賞装置を提供せんとするものである。
【課題を解決するための手段】
【００１２】
本発明は、上述目的を達成するため、入賞装置の球受部に形成する飛入球通路に上記球受部に対して組付けられる検出スイッチの球検出孔を連通させ、飛入球通路に受けられる飛入球を上記球検出孔に通して検出するようにした入賞装置において、前記球検出孔の上下に臨む前記飛入球通路の上下の口径を球の直径を限界にして前記球検出孔の口径より小径に形成し、該球検出孔内を飛入球が通過する際、前記飛入球通路の内壁面により該球検出孔の内壁面に飛入球が接触するのを防止してなることを特徴としたパチンコ機の入賞装置を提供することにある。
【００１３】
更に詳述するならば、本発明は取付基板の前面に突き出し、打球の飛入球通路を設けてなる球受部と、前記取付基板の背後から前記球受部の飛入球通路に向けて貫通する装着孔と、前記装着孔に連続し、前記飛入球通路を囲む内壁面に沿って形成される装着受部と、前記装着孔を通して前記装着受部に先端縁部を係合させ、上下に貫通する球検出孔を前記飛入球通路に連通して該飛入球通路を通過する通過球を検出する検出スイッチとからなるパチンコ機の入賞装置において、前記飛入球通路は前記検出スイッチの球検出孔の上部開口部と下部開口部に臨む内壁部分を前記通過球の通過が可能な口径にして、且つ前記検出スイッチの前記球検出孔の口径より小径な通過口径に形成し、該飛入球通路を通過する通過球が前記球検出孔の内壁面に接触することなく通過するようにしてなることを特徴としたパチンコ機の入賞装置を提供することにある。
【００１４】
前記球受部は、取付基板と共に合成樹脂を材料にして形成することになる。そして、球受部には飛入球通路を形成する関係から、球受部と取付基板とを別体に形成し、成形後組合せて完成させることになる。このとき球受部は横断面がＵ字形断面形となるように形成して後方を開放した飛入球通路を設け、同時にこの通路の内側、つまり内側面に沿って検出スイッチの先端の縁部を受け止める装着受部を設ける。
【００１５】
一方、上記取付基板は上記球受部を遊技盤に組付けるための止着手段となるものであり、球受部の背後から添わせて前記飛入球通路の背面側の開口部分を塞ぎ、実質的にこの飛入球通路を筒形に形成する。
そして、この取付基板には球受部に形成した前記装着受部に対応させて前後に貫通する装着孔を開設し、基板の背後から臨ませる検出スイッチの先端をこの装着孔を通して前記飛入球通路に突き入れ、最終的に該検出スイッチの先端縁部を前記装着受部に差し込み係合させて球受部と検出スイッチとを組付けるようにする。
【００１６】
別体に形成した球受部と取付基板とは抱き合せに組んでビス等で固着することになる。そして、上記取付基板の装着孔を通して組付ける検出スイッチは、該取付基板の背面から後方に突き出す如く一体に設ける係止片により掛け止め、取外し自由な状態で装着することになる。
尚、この検出スイッチの組付けに当っては、このスイッチに設ける球検出孔を前記球受部の飛入球通路に揃えて連通させ、飛入球通路の上部入口からの飛入球をこの球検出孔に通すことになる。
【００１７】
前記球受部に設ける前記飛入球通路は、飛入球の通過を許す口径が求められるが、この飛入球通路に臨む検出スイッチの球検出孔の口径より小径に形成し、この通路を通過する飛入球が球検出孔の内壁面に接触するのを防止することになる。
上記飛入球通路における球検出孔の口径より小径とする部分は通路の全長に亘る必要はなく、検出スイッチの前記球検出孔の上下の開口部に臨む内壁面部分についてだけでよく、当該上下の内壁面部分の口径を前記球検出孔の口径より小さく、且つ飛入球が通過できる口径、つまりパチンコ球の直径１１ｍｍ以上の口径を有するように形成することになる。
【００１８】
上記飛入球通路内の内壁面部分は、上述したところから明らかな様に、検出スイッチを装着する前記装着受部を形成する位置に合せて設けるのが最も適しており、ことに装着受部と一体のものとすると、成形が容易となるばかりでなくこの両者の精度を高める上でも有利である。
例えば、上記装着受部を形成する際に、飛入球通路の内壁面に検出スイッチの肉厚に相当する間隔をおいて上下に２条の突条を隆設し、この突条間に検出スイッチの先端部を受け入れられるようにして装着受部とする一方、上記上下の突条の実質的内径をパチンコ球の直径より大径であり、且つ球検出孔の内径より小径であるように形成すると、装着受部の形成に合せて飛入球通路の口径を確定することができる。
【００１９】
ところで、前記検出スイッチは、広く実用化されているものにおいて、その肉厚は略５乃至６ｍｍであり、従って前記２条の突条の間隔はこれに合せたものとし、近接した状態で隆設することになる。この結果、飛入球通路に飛入する打球は仮に開口部の縁に衝突して斜めに飛入しても上下の突条の縁に接触して球検出孔の内壁面に接触することなく通過することになり、接触に伴う汚損を回避することができる。
【発明の効果】
【００２０】
従って、上記するところから明らかな様に、球受部の飛入球通路に臨ませた検出スイッチはその先端の縁部を装着受部に突き入れることで保護されると同時に、飛入球通路に連通させた球検出孔は上下の開口部を上記装着受部を形成する２条の突条によって被われ、且つこの突条の内径が球検出孔の内径より小径であることから内壁面に通過球が接触することがなく、従って接触による痕跡が残らないことから新品の状態を保持することができることになる。
従って、再使用する際、損傷乃至汚損のチェックを要することなく、表面上の塵埃等の拭取り等の簡単な処理で再使用することが可能であり、また打球との直接的な接触がないことから破損するようなこともなく、再使用に向けての歩止まりを高く維持することができる。
【発明を実施するための最良の形態】
【００２１】
次に、本発明を明らかにするため図示する実施例について説明することにする。尚、ここに開示する例は本発明を理解し、且つ実施する上で最良とする一例を示したものであるが、本発明はこの例に特定されるものではない。
【実施例１】
【００２２】
添付する図面において、図１は検出スイッチを抜き取った状態における本発明に係る入賞装置の背面側から見た斜視図であり、図２は入賞装置を構成する球受部と取付基板を分解した背面側から見た斜視図、図３は使用状態を説明する中央縦断右側面図、図４は図３のＡ−Ａ線に沿って断面とした正面図である。図面における符号１は本発明入賞装置の本体部分であり、２はこの本体部分１に組付けられる検出スイッチである。
【００２３】
本体部分１は図２に示したように、ここでは球受部３と取付基板４とから構成してあり、球受部３は前面側の飾り板５の背面側両側部から相対向する如く２つの側枠板６，６を並行に延設し、横断面形において略コ字形の断面形をなすように形成してある。これによって内部に後方部分を開放した飛入球通路７を形成する。そして、前記左右の側枠板６，６の上端部に内向きの突条８，８を隆設して相互の間隔を狭め、更にこの突条８，８に並行させ、間隔をおいて下の突条９，９を隆設し、これら上下２条の突条の形成によって溝形をなす装着受部１０を形成している。
【００２４】
上記装着受部１０は検出スイッチ２の装着に当ってその先端縁部を受け入れ止着するためのものであり、ここではこの溝を延長するように飾り板５の背面にも溝１１を形成して前と左右の三面に亘ってコ字形に溝を設け、装着受部１０を形成している。
【００２５】
一方、取付基板４は上記球受部３と組合うことで、前記後方を開放した飛入球通路７を閉じ、実質的に上下に貫通する筒形の通路とするが、前面に球受部３の左右の側枠板６，６の後端を当接し、背面側から透孔１２，１２を通して各側枠板６，６に設けるねじ受け孔１３，１３にビス１４，１４をねじ付けることでと一体に組合うことにしてある。
そして、この取付基板４は前方に位置する前記装着受部１０に対応させて横長の矩形をなす貫通孔を開設し、検出スイッチ２を挿通する装着孔１５としている。
【００２６】
上記装着孔１５は、検出スイッチ２の断面形に略一致させた横長長方形状に形成してあり、背面側の下縁部に沿って装着する検出スイッチの先端を誘導するための案内台１６を突設し、更にこの案内台の一方の縁部から後方に向けて先端に内向きの爪１７を有する係止片１８を延設し、装着する検出スイッチの後端を掛け止め、任意の抜け出しを防止している。
【００２７】
図中、１９はこの入賞装置を照明するため取付基板４の背面に取付けたランプであり、２０は取付基板４を遊技盤２１に固着するためのビス孔である。
上記ランプ１９は照明用である外に、表示用、例えば前記飛入球通路７を打球が通過したとき点灯する表示用のランプにしてもよく、またこの両者を兼用するものにしてもよい。
【００２８】
入賞装置の本体部分１を構成する前記球受部３及び取付基板４は、熱可塑性の合成樹脂を材料にそれぞれ射出成形によって形成されている。そのため、ここでは図示するように型抜きを考慮して、例えば球受部３については前述したように後方を開放した形状に、そして取付基板４については係止片１８を案内台の縁部から装着孔１５の後方延長線上に突き出るように設けるようにしている。
【００２９】
この様に個別に形成した球受部３と取付基板４は抱き合せにして組付けたところでビス１４，１４をねじ受け孔１３，１３にねじ付けて一体に結合し、これによって飛入球通路７を上下の貫通孔とすると共に、装着受部１０の背後に装着孔１５を臨ませることになる。
【００３０】
検出スイッチ２の装着は、先端縁部を案内台１６の上面に滑らせて装着孔１５へと突き入れ、そのまゝ押し込んで先端部の両側縁を溝形をなす装着受部１０に滑らせながら更に溝１１に突入するまで差し込み、検出スイッチ２の後端部が係止片１８の爪１７に達したところで、この爪を掛け止め装着作業を完了する。
この検出スイッチ２の装着によって球検出孔２２は、図３，図４に示すように球受部３の飛入球通路７に揃って連通することになり、併せてその内壁面２２ａは装着受部１０を形成する三方の溝の中に入り込んで飛入球通路７の内壁面７ａ、更に具体的に言えば上下の突条８，８、９，９のそれぞれによって実質的に形成される内壁面から更に外側に向って後退し、環状の窪みを形成することになる。
【００３１】
ところで、球受部３に形成される飛入球通路７は、その内径をパチンコ球が通過できる径に形成することになるが、この内壁面７ａから突出し、前記装着受部１０を形成する上下２条の突条８，８及び９，９は、それぞれパチンコ球の直径（略１１ｍｍ）より大であって、前記球検出孔２２の直径より小である間隔を以て形成し、また飾り板５の背面と取付基板４の前面とは上記左右の突条間の間隔に揃えて形成し、この突条によって形成される装着受部１０の領域をパチンコ球、即ち飛入球Ａが通過するとき、この飛入球Ａが球検出孔２２の内壁面２２ａに接触することなく通過できるようにしている（図３，図４を参照）。
【００３２】
つまり、上記突条８，８及び９，９は、飛入球通路７の内周面７ａから隆起した部分を形成するもので、検出スイッチ２はこの上下の部分によって保護されることになる。
【００３３】
従って、上記の構造から、遊技盤２１に開設する取付透孔２３の前面側から取付基板４を臨ませ、ビス孔２０を通してビス止めし装着される本発明入賞装置に対して打球Ａが飛入する際には上下に貫通する飛入球通路７に飛び込むことになるが、実際にはこの球Ａはこの通路７の開口部７ｂに相当する上の突条８，８と、飾り板５、取付基板４の前面によって形成される空間に入ることになる。
そして、上記開口部７ｂの空間に入った打球Ａ、即ち飛入球Ａは検出スイッチ２の球検出孔２２を通り、更に下の突条９，９と同じく飾り板５、取付基板４によって形成される上記開口部７ｂと同一の空間を通って再びこの飛入球通路７から遊技盤の遊技部へと放出され、この間に上記検出スイッチによって飛入球Ａの通過が検出され、電気信号に変換されて発信されることになる。
【００３４】
この飛入球Ａの通過に当って検出スイッチの球検出孔２２を通過する際には、この球検出孔の内壁面２２ａが装着受部１０の内側に入り込んで前記上下の突条８，８、９，９によって形成される内壁面の位置から後退した状態にあることから飛入球Ａと球検出孔２２の上部開口部との衝突も、また球検出孔２２の内壁面２２ａと接触することもなく、従って、この検出スイッチは衝突或は接触による損傷も、汚損されることもない状態で使用されることになる。
【００３５】
従って、上述の様にして使用に供された検出スイッチ２は、遊技盤の廃棄処分等によって入賞装置が処分の対象になったとき、係止片１８の係合を外して装着孔１５から抜き取り、そのまゝ別に用意される本体部分に差し換え、再使用に供することができる。勿論、この場合準備される入賞装置の本体部分は前記同一のデザインに係る本体部分であってもよいが、別にデザインされるものに装着して新しい入賞装置に組入れ、新品のものとして再使用を計ることが可能となる。
【００３６】
尚、図示する実施例では装着受部１０を形成する上下の突条８及び９を左右の側枠板６，６において向い合せる並行な突条として形成し、前面側を飾り板５の背面を利用し、更に後面側を取り付け基板４の前面を利用して、この上下の突条８，９部分における飛入球通路７の内壁面形状を角筒形にしているが、左右において対向する突条８，８及び９，９をそれぞれ前面側の飾り板５の背面まで延長し、上方からの形状をＵ字形に形成し、またこの各突条８，８、９，９の位置に合せて取付基板４の前面に前縁部分を凹曲面にする突条を突設してこれらの組合せによって全体の形状が円形となるように、つまり突条部分の内壁面７ｂが円形となるように形成してもよいことは言うまでもない。
【００３７】
またこの場合、上記形成される円形をなす空部、即ち内径は前記２条の突条８，８、９，９によって形成する場合と同様に、パチンコ球Ａの直径より大にして、装着受部１０に支持される検出スイッチ２の球検出孔２２の口径より小径となるよう形成することは言うまでもない。
【図面の簡単な説明】
【００３８】
【図１】検出スイッチを抜き出した状態における本発明に係る入賞装置の背面側からの斜視図。
【図２】入賞装置を構成する球受部と取付基板とを分解した背面方向から見た斜視図。
【図３】使用状態における中央縦断右側面図。
【図４】図３におけるＡ−Ａ線に沿って断面とした正面図である。
【符号の説明】
【００３９】
１          入賞装置  
２          検出スイッチ
３          球受部
４          取付基板
５          飾り板
７          飛入球通路
７ａ        飛入球通路の内壁面
７ｂ        飛入球通路に形成する内壁部分の内壁面
８          内壁部分となる上の突条
９          内壁部分となる下の突条
１０        装着受部
１１        溝
１５        装着孔
１６        案内台
１８        係止片
２１        遊技盤
２２        球検出孔
２２ａ      球検出孔の内壁面
【図１】
2006149862.tif 000003
【図２】
2006149862.tif 000004
【図３】
2006149862.tif 000005
【図４】
2006149862.tif 000006